(57)【要約】【課題】糸クズの発生を抑制することができる清拭除塵布を提供する。【解決手段】合成繊維からなる長繊維またはその加工糸をラッセル編みして得た幅寸法が１０ｃｍ以上４５ｃｍ以下の製編生地２を、その長さ方向にインパルス溶断装置３により溶断するとともに溶断端末を溶着して、清拭除塵布１が形成されている。【選択図】図１
2006192133.tif 000002
【特許請求の範囲】
【請求項１】
合成繊維からなる長繊維またはその加工糸をラッセル編みして得たままの製編生地を用い、その製編生地をその長さ方向に溶断しかつ溶断端末を溶着して形成されたことを特徴とする清拭除塵布。
【請求項２】
前記製編生地の幅寸法が１０ｃｍ以上４５ｃｍ以下であることを特徴とする請求項１に記載の清拭除塵布。
【請求項３】
合成繊維からなる長繊維またはその加工糸をラッセル編みし、若しくは合成繊維からなる長繊維またはその加工糸をトリコット編みして得た広幅の製編生地を幅方向でカットした所定幅の裁断生地を用い、その裁断生地の幅方向両端を中にして四つ折りしたものを、その長さ方向に溶断しかつ溶断端末を溶着して形成されたことを特徴とする清拭除塵布。
【請求項４】
前記四つ折りしたものの幅寸法が１０ｃｍ以上４５ｃｍ以下であることを特徴とする請求項３に記載の清拭除塵布。
【請求項５】
埃付着用の粘着剤を有することを特徴とする請求項１乃至４のいずれかに記載の清拭除塵布。
【発明の詳細な説明】
【技術分野】
【０００１】
本発明は、例えば自動車等の被塗装面を事前清浄化するため等に用いられる清拭除塵布に関する。
【背景技術】
【０００２】
上述した清拭除塵布として、可撓性を有する基布に、油或いは樹脂等の粘着剤を予め付与したものが知られている（特許文献１参照）。上記粘着剤は、自動車等の被塗装面を拭き取った埃が空中に飛散しないように付着させるために用いられる。
【０００３】
ところで、上記基布として、以下の２つに大別される。第１の基布は、綿等の天然繊維またはポリエステル等の合成繊維からなる短繊維の織物や編物を所定寸法に裁断したものである。第２の基布は、ポリエステル等の合成繊維からなる長繊維の織物を、その両端を中にして四つ折りし、長さ方向に裁断したものである。
【特許文献１】特開平７−２３１８７０号公報
【発明の開示】
【発明が解決しようとする課題】
【０００４】
しかしながら、第１の基布の場合は、短繊維であるために織物や編物から糸クズが脱落するという欠点がある。また、第２の基布の場合は、長繊維を用いるものの織物である故に、裁断された端末からフィラメントが脱落して糸クズが発生するという難点がある。
【０００５】
本発明は、このような課題を解決するためになされたもので、糸クズの発生を抑制することができる清拭除塵布を提供することを目的とする。
【課題を解決するための手段】
【０００６】
請求項１の発明に係る清拭除塵布は、合成繊維からなる長繊維またはその加工糸をラッセル編みして得たままの製編生地を用い、その製編生地をその長さ方向に溶断しかつ溶断端末を溶着して形成されたことを特徴とする。
【０００７】
請求項２の発明に係る清拭除塵布は、前記製編生地の幅寸法が１０ｃｍ以上４５ｃｍ以下であることを特徴とする。
【０００８】
請求項３の発明に係る清拭除塵布は、合成繊維からなる長繊維またはその加工糸をラッセル編みし、若しくは合成繊維からなる長繊維またはその加工糸をトリコット編みして得た広幅の製編生地を幅方向でカットした所定幅の裁断生地を用い、その裁断生地の幅方向両端を中にして四つ折りしたものを、その長さ方向に溶断しかつ溶断端末を溶着して形成されたことを特徴とする。
【０００９】
請求項４の発明に係る清拭除塵布は、前記四つ折りしたものの幅寸法が１０ｃｍ以上４５ｃｍ以下であることを特徴とする。
【００１０】
請求項５の発明に係る清拭除塵布は、埃付着用の粘着剤を有することを特徴とする。
【発明の効果】
【００１１】
請求項１及び２の発明による場合には、摩擦の少ないラッセル編みによる製編のためフィラメント切れが無く、また自動車等の被塗装面を拭き取り時にバリに当たっても編み地のため糸クズ（リント）脱落が無い。更に、溶断された端末が溶着しているので糸クズの脱落が無い。特に、請求項２の場合には、一般に用いられる幅寸法の清拭除塵布が得られる。
【００１２】
請求項３及び４の発明による場合には、ラッセル編みまたはトリコット編みによる製編のためフィラメント切れが無く、また自動車等の被塗装面を拭き取り時にバリに当たっても編み地のため糸クズ（リント）脱落が無い。更に、溶断された端末は溶着しているので糸クズの脱落が無く、加えて、幅方向にカットされた裁断生地の両端が中に折り込まれているので、バリに当たっても糸クズ脱落が無い。特に、請求項４の場合には、一般に用いられる幅寸法の清拭除塵布が得られる。
【００１３】
請求項５の発明による場合には、自動車等の被塗装面を拭き取った埃が空中に飛散しないように粘着剤に付着させ得る。
【発明を実施するための最良の形態】
【００１４】
以下に、本発明を具体的に説明する。
【００１５】
（第１実施形態）
図１に、合成繊維からなる長繊維をラッセル編みして得た製編生地２を示す。図１（ａ）は製編生地２の正面図、同（ｂ）は製編生地２の側面図である。この製編生地２は、例えば幅寸法Ｗ１が１０ｃｍ以上４５ｃｍ以下の或る一定寸法の生地であって、その長手方向Ｌに製編されつつ送られるようになっている。そして、所定位置に設けたインパルス溶断装置３により所定長さに溶断されて清拭除塵布１になる。なお、製編生地２の幅寸法Ｗ１を１０ｃｍ以上４５ｃｍ以下としたのは、一般に用いられる幅寸法の清拭除塵布１が得られるようにするためである。
【００１６】
上記製編生地２は、図２に示すようにループの端が上段のコースに連結されているたて編組織となっていて、幅方向の両端には糸の端が無い組織である。なお、製編生地２としては、合成繊維からなる長繊維の加工糸をラッセル編みしたものを含む。
【００１７】
上記インパルス溶断装置３は、製編生地２をその表裏両側から挟んで、受け板３ａと溶断部３ｂとが設けられたもので、受け板３ａ及び溶断部３ｂは製編生地２の幅寸法Ｗ１よりも若干長い寸法の長さを有する。本実施形態では受け板３ａを固定、溶断部３ｂを受け板３ａに対して接離するように構成され、かつ、溶断部３ｂにパルス電流を一定時間だけ供給し、その溶断部３ｂを、間に製編生地２を挟んだ状態で受け板３ａに押し付け、パルス電流の供給が終了して一定時間経過後に溶断部３ｂが受け板３ａから遠ざかるようになっている。
【００１８】
このインパルス溶断装置３による清拭除塵布１の溶断は、パルス電流の供給により加熱した溶断部３ｂが受け板３ａ側へ押し付けられ、これにより製編生地２から分離されることで行われる。そして、溶断された清拭除塵布１の溶断端末は、溶断部３ｂが清拭除塵布１の溶断部分を押し付けたままでパルス電流の供給終了に伴って冷却していき、その後に前記清拭除塵布１の溶断部分から遠ざかるので、溶着した状態とされる。なお、もう一方の片端末は同様にして既に溶着されているので、得られた清拭除塵布１の両端末は溶着された状態となる。
【００１９】
したがって、この第１実施形態の清拭除塵布１は、インパルス溶断装置３により溶断された両端が溶着されていて、かつ幅方向の両端がラッセル編みの編み目そのもの（糸端がない状態）であるので、清拭除塵布１の４辺の全てにおいて、糸クズの脱落が無い。加えて、摩擦の少ないラッセル編みによる製編のためフィラメント切れが無く、また自動車等の被塗装面を拭き取り時にバリに当たっても編み地のため糸クズ（リント）脱落が無い。
【００２０】
また、清拭除塵布１に粘着剤、例えば油や樹脂、或いは油脂ワックス等を含浸等させた構成とすることにより、自動車等の被塗装面を拭き取った埃が空中に飛散しないように粘着剤に付着させ得る。なお、粘着剤としては、上記以外で埃を付着し得るものも含むことは勿論である。
【００２１】
（第２実施形態）
この第２実施形態は、清拭除塵布の幅寸法よりも長い幅寸法の製編生地を用いて、清拭除塵布を生産する場合である。
【００２２】
上記生地としては、図３に示すように、合成繊維からなる長繊維またはその加工糸をラッセル編みし、若しくは合成繊維からなる長繊維またはその加工糸をトリコット編みして得た広い幅寸法Ｗ２の製編生地２Ａが用いられる。そして、上記製編生地２Ａを幅方向でカットし、図示例では２箇所でカットし、図４（ａ）に示すように幅寸法Ｗ３（≒Ｗ２／３）が４０ｃｍ以上１８０ｃｍ以下の或る一定寸法の裁断生地２Ｂになす。裁断生地２Ｂの長手方向Ｌは製編生地２Ａの製編方向と一致している。続いて、図４（ｂ）に示すように、裁断生地２Ｂの幅方向両端ａ０を中にして四つ折りし、幅寸法が１０ｃｍ以上４５ｃｍ以下の或る一定寸法Ｗ４（≒Ｗ３／４）の生地２Ｃにしている。得られた生地２Ｃは、四つ折り前の裁断生地２Ｂにおける幅方向中間部の折り目ａ１、ａ２の箇所が、幅方向の両端になる。
【００２３】
このようにして得られた四つ折り生地２Ｃを、その長さ方向に、前同様のインパルス溶断装置３により破線部分を溶断して、長手方向Ｌの両端末が溶着された清拭除塵布１Ａを形成する。なお、図５に、トリコット編みの一例であるフルトリコット編みの編み目を示す。このフルトリコット編みにおいても、前述したラッセル編みと同様、ループの端が上段のコースに連結されているたて編組織となっていて、幅方向の両端には糸の端が無い組織となる。また、図示を省略するが、３枚筬トリコット編み等の他のトリコット編みによる生地も同様である。
【００２４】
したがって、この第２実施形態による清拭除塵布１Ａは、ラッセル編みまたはトリコット編みによる製編のためフィラメント切れが無く、また自動車等の被塗装面を拭き取り時にバリに当たっても編み地のため糸クズ（リント）脱落が無い。更に、インパルス溶断装置３により溶断された端末は溶着しているので糸クズの脱落が無く、加えて、幅方向にカットされた裁断生地の両端が中に折り込まれているので、バリに当たっても糸クズ脱落が無い。
【００２５】
また、第１実施形態と同じように、第２実施形態の清拭除塵布１Ａに粘着剤を含浸等させた構成とすることにより、自動車等の被塗装面を拭き取った埃が空中に飛散しないように粘着剤に付着させ得る。
【００２６】
なお、上述した第１、第２実施形態ではインパルス溶断装置として、受け板を固定、溶断部を受け板に対して接離する構成のものを用いているが、本発明はこれに限らない。例えば、受け板及び溶断部が相互に接離する構成としたインパルス溶断装置、或いは、生地を挟んで両側にパルス電流が供給される溶断部を配置した構成のインパルス溶断装置を用いてもよい。
【００２７】
また、本発明は、上述したインパルス溶断装置の代わりに、生地を溶断して清拭除塵布を分離でき、しかも清拭除塵布の両端を溶着できるような溶断溶着装置、例えば一定幅の溶着部分を形成してその溶着部分の途中位置をカットする構成の溶断溶着装置などを用いることも可能である。
【図面の簡単な説明】
【００２８】
【図１】（ａ）は合成繊維からなる長繊維をラッセル編みして得たままの製編生地を示す正面図、（ｂ）はその製編生地の側面図である。
【図２】ラッセル編みの編み目を示す図である。
【図３】清拭除塵布の幅寸法よりも長い幅寸法の製編生地を示す図である。
【図４】（ａ）は図３の製編生地を幅方向にカットして得た裁断生地を示す図で、（ｂ）はその裁断生地を四つ折りした状態を示す図である。
【図５】フルトリコット編みの編み目を示す図である。
【符号の説明】
【００２９】
１、１Ａ    清拭除塵布
２、２Ａ    製編生地
２Ｂ    裁断生地
２Ｃ    生地
３    インパルス溶断装置
【図１】
2006192133.tif 000003
【図２】
2006192133.tif 000004
【図３】
2006192133.tif 000005
【図４】
2006192133.tif 000006
【図５】
2006192133.tif 000007